(57)【特許請求の範囲】
【請求項１】
本発明は両面段ボール紙、或いは厚紙を素材に用い、ハンガーポップ板１に取り付けられるプラスチック製のフック２の基部を引っ掛けると同時に補強部３も固定される構造であり、
ポップ板１に於いて、中央に表示板４を設け、表示板の両側へ補強部３を設けて内側へ折り返される事によって補強されるのであり、補強部３の端側縁へ重ね板５を設けて表示板４の背面へ重ね合わされ、この重なった状態を固定する為、重なり域６内の表示板４へ前孔７を縦長矩形で設け、組み立て時に同じ位置に重なる重ね板５へ背孔８を設け、前孔７と背孔８を総して嵌合孔９と称し、
嵌合孔９へ嵌合されるフック２に於いて、中央から正面へ突き出る竿部１０を設け、竿部１０の基部は基盤１１に取り付けられており、基盤１１の背部へは天地にＬ片が取り付けられるのであって、夫々を天Ｌ片１２と地Ｌ片１３と称し、Ｌ片の屈折方向は夫々が天地に屈折しており、天Ｌ片１２はＬ字形状であるが、地Ｌ片１３はレの字状で跳ね上がり箇所は短く、嵌合孔９へＬ片を嵌め込むのであって、順序は先ず天Ｌ片１２を差し込み、次に地Ｌ片１３を嵌め込む事によって嵌合は終了するのであり、地Ｌ片１３がレの字状である事によって嵌め込みが容易となり、天地のＬ片は背孔８の天地縁の背面まで達して背方から押さえ込まれ、基盤１１の背面は前孔７の両側の前面を前から押さえ込んでいるので、フック２が取り付けられると同時に補強部３は固定されるのであり、
本発明物は吊り下げて使用する事から、表示板４の天領域に天穴１４を対で設け、天穴１４へ紐１５を通して吊り下げが可能と成り、
ポップ板１の捩じれを防止する為の補強部であっても良いが、ポップ板１を展開した状態で、ポップ板１の中央を横切る状態で畳み折線１６を設け、ポップ板１を長手方向へ折り畳む事ができる様にした、補強部のフック基部固定構造。
【発明の詳細な説明】
【０００１】
【発明の属する技術分野】
本発明は、ポップ板の補強構造に関する。
【０００２】
【従来の技術】
従来のポップ板の補強構造は、表示板の両側領域を背方へ折り返し、この折り返された部分を接着する事によって固定していた。
【０００３】
【発明が解決しようとする課題】
従来技術の様に、折り返し領域を接着によって固定しても強度は充分に保持されるが、一度接着すると再び剥がす事は難しく、又、製造時には両面接着テープを貼るなどの手間が必要であった、本発明では、前記の問題点の解決を目的とする。
【０００４】
【課題を解決する為の手段】
上記目的を達成する為に、ポップ板の中央へ表示板を設け、両側領域を背方へ折り返して補強部を設け、補強部の端辺に有する重ね板を表示板の両側の背面に重ね合わせ、表示板に前孔、重ね板に背孔を開けて、両孔を重ねた嵌合孔へフック基部背方へ天地に突出した天地のＬ片を嵌め込む事によって、前孔と背孔は貫通されて固定され、よって、フックを取り付けると同時に補強部は固定される。
【０００５】
【発明の実施の形態】
発明の実施の形態について図面を参照して説明するならば、使用状態を正面方向から示した要部透視斜視図の図１に於いて、両面段ボール及び腰のある厚紙を素材に用いてポップ板１を設け、プラスチックを素材に用いてフック２を設け、ポップ板１に於いて、中央へ縦長矩形の表示板４を設け、両側へ山折線を介して補強部３を設け、補強部３は平板であっても良いが、中央を縦に貫く山折線を入れてＶ字状に折り曲げる方が強度があり、補強部３の側縁へ山折線を介して重ね板５を設けて表示板４の両側領域の背面へ重ね合わせ、この重なった領域を重なり域６と称し、重なり域６内で表示板４方へ縦長矩形の部分的切抜きで前孔７を設け、重ね板５へ前孔７と同寸同形で重ねて背孔８を設け、前孔７と背孔８の重なった状態の物を嵌合孔９と称し、
嵌合孔９へ嵌め込むフック２に於いて、中央を正面へ突出させて竿部１０を設け、竿部１０の先端は跳ね上がっており、基部は基盤１１と連結し、基盤１１の形状は円形で天地縁は平にし、この平な部分から背方へ突出してＬ片を天地に設けるのであり、夫々を天Ｌ片１２と地Ｌ片１３と称し、両者のＬ字屈折方向は天地方向へ屈折しており、Ｌ片を真横から見ると、天Ｌ片１２は天方へ直角に屈折したＬ字形状を成し、地Ｌ片１３は地方へ直角に屈折するＬ字形状であるが、先端部分を外側から先端へ掛けて斜めにカットされて短くなっており、Ｌ片の嵌め込み順序はは天Ｌ片１２を差し込み、次に地Ｌ片１３を嵌め込んで嵌合は終了するのであり、地Ｌ片１３は短くカットされている事から嵌合が容易に行え、
ポップ板１は吊り下げて使用する事から天領域へ天穴１４を対で設け、天穴１４へ紐１５を通す事によって吊り下げを可能とし、表示板４の天領域はデザイン的美しさの配慮から、両側天角を丸くして天方へ突出した領域で冠域１７を設けて、この冠域１７へ天穴１４を開ける方が望ましく、
補強部３は表示板４の歪みを無くする為に設けたのであるが、コンパクトに折り畳む事ができる様に、ポップ板１を平に展開した状態で中央を補強部３の長手方向と直角に横切る折り線で畳み折線１６を設ける。
【０００６】
図１のＡ・Ａ断裁線で断裁して示した部分断面図の図２に於いて、フック２の天Ｌ片１２と地Ｌ片１３は嵌合孔９を貫いて重ね板５を背面から押さえ込み、基盤１１は表示板４を前面から押さえ込んでいるので、フック２は固定されているので竿部１０に陳列商品を吊り下げる事が可能となり、竿部１０の先端が跳ね上がっている事から吊り下げ商品が零れ落ち難くなり、フック２を取り付けたと同時に補強部３も固定される。
【０００７】
部分的に剥いた状態で背方から示した斜視図の図３に於いて、表示板４の両側に連結された補強部３を背方へ折り返した事によって畳み折線１６は伸直し、表示板４は平な平板と成り、嵌合孔９を貫いて天Ｌ片１２と地Ｌ片１３が重ね板５を固定しているので、重ね板５と連結している補強部３は固定されている。
【０００８】
フックの嵌合状態を真っ正面から見た状態で示した正面図の図４に於いて、フック２の基盤１１の両側領域は嵌合孔９の両側縁より外側に食み出ているので嵌合孔９内へ嵌まり込まず、表示板４を正面方向から押さえ込んでおり、Ｌ片の嵌合孔９への嵌め込み順序は天Ｌ片１２を差し込み、次に地Ｌ片１３を嵌め込んで終了するのであるが、地Ｌ片１３の下への突出部分が短くカットされている他、嵌合孔９の下両角から真下へ部分的な切り込みの嵌合切込１８を設ける事によって、地Ｌ片１３の嵌合は更にスムーズになる。
【０００９】
【発明の効果】
フック基部背方に天地へ突出したＬ片が嵌合孔を貫いて、表示板と重ね板とを重ねて固定しているので、接着せずに補強部を固定する事ができ、両面接着テープを貼る手間を省く事ができて、製造の簡略化からコストダウンができる。
【図面の簡単な説明】
【図１】使用状態を正面方向から示した要部透視斜視図。
【図２】図１のＡ・Ａ断裁線で断裁して示した部分断面図。
【図３】部分的に剥いた状態で背方から示した斜視図。
【図４】フックの嵌合状態を真っ正面から見た状態で示した正面図。
【符号の説明】
１  ポップ板
２  フック
３  補強部
４  表示板
５  重ね板
６  重なり域
７  前孔
８  背孔
９  嵌合孔
10  竿部
11  基盤
12  天Ｌ片
13  地Ｌ片
16  畳み折線
【図１】
0003751354.tif 000002
【図２】
0003751354.tif 000003
【図３】
0003751354.tif 000004
【図４】
0003751354.tif 000005